(57)【要約】【課題】各種証明書や各種契約書あるいは各種機密文書などの原本性の確認を効率よく行うことを可能にしたり、また、より確実な改竄防止を図ることを可能にする。【解決手段】少なくとも１以上のピクセルにより構成されるとともに該ピクセルの全部または一部が着色領域とされたドットポイントを所定の空間距離を開けて複数配置した複写防止模様作成用パターンにより複写防止模様を構成し、上記ドットポイントの着色領域は、所定の解像度以下の解像度では検知不能であるようにした。【選択図】        図１
2005204190.tif 000002
【特許請求の範囲】
【請求項１】
少なくとも１以上のピクセルにより構成されるとともに該ピクセルの全部または一部が着色領域とされたドットポイントを所定の空間距離を開けて複数配置した複写防止模様作成用パターンにより複写防止模様を構成し、
前記ドットポイントの着色領域は、所定の解像度以下の解像度では検知不能である
ことを特徴とする複写防止模様生成方法。
【請求項２】
少なくとも１以上のピクセルにより構成されるとともに該ピクセルの全部または一部が所定の解像度以下の解像度では検知不能である着色領域とされたドットポイントを所定の空間距離を開けて複数配置した複写防止模様作成用パターンを生成する複写防止模様作成用パターン生成手段と、
前記複写防止模様作成用パターン生成手段により生成された複写防止模様作成用パターンを用いて複写防止模様を生成する複写防止模様生成手段と
を有することを特徴とする複写防止模様生成装置。
【請求項３】
少なくとも１以上のピクセルにより構成されるとともに該ピクセルの全部または一部が所定の解像度以下の解像度では検知不能である着色領域とされたドットポイントを所定の空間距離を開けて複数配置した複写防止模様作成用パターンにより複写防止模様を構成し、
前記複写防止模様を所定の印刷濃度に制御して原稿画像と重ね合わせて印刷する
ことを特徴とする画像処理方法。
【請求項４】
原稿画像を入力する入力手段と、
少なくとも１以上のピクセルにより構成されるとともに該ピクセルの全部または一部が所定の解像度以下の解像度では検知不能である着色領域とされたドットポイントを所定の空間距離を開けて複数配置した複写防止模様作成用パターンを生成する複写防止模様作成用パターン生成手段と、
前記複写防止模様作成用パターン生成手段により生成された複写防止模様作成用パターンを用いて印刷濃度を制御された複写防止模様を生成する複写防止模様生成手段と、
前記入力手段により入力された原稿画像と前記複写防止模様生成手段により生成された複写防止模様とを重ね合わせて印刷する合成出力手段と
を有することを特徴とする画像処理装置。
【請求項５】
請求項１に記載の複写防止模様生成方法をコンピューターに実行させるためのプログラム。
【請求項６】
請求項２に記載の複写防止模様生成装置としてコンピューターを機能させるためのプログラム。
【請求項７】
請求項３に記載の画像処理方法をコンピューターに実行させるためのプログラム。
【請求項８】
請求項４に記載の画像処理装置としてコンピューターを機能させるためのプログラム。
【請求項９】
請求項５、請求項６、請求項７または請求項８のいずれか１項に記載のプログラムを記録したコンピューター読み取り可能な記録媒体。
【発明の詳細な説明】
【技術分野】
【０００１】
本発明は、複写防止模様生成方法、複写防止模様生成装置、画像処理方法、画像処理装置、プログラムおよびコンピューター読み取り可能な記録媒体に関し、さらに詳細には、各種証明書や各種契約書あるいは各種機密文書などの文書や画像（本明細書においては、「文書」や「画像」を総称して単に「画像」と称する。）の印刷物を複写機で複写した場合に、原本となる印刷物と当該印刷物を複写機で複写して得られた複写物とを判別可能とするための複写防止模様を生成する際に用いて好適な複写防止模様生成方法、複写防止模様生成装置、画像処理方法、画像処理装置、プログラムおよびコンピューター読み取り可能な記録媒体に関する。
【背景技術】
【０００２】
近年、所謂、電子政府や電子自治体の拡充が図られているが、こうした電子政府や電子自治体の発展のためには、各種証明書や各種契約書あるいは各種機密文書などの電子データたる画像データを印刷した印刷物の原本性を保証することが、極めて重要な課題として認識されている。
【０００３】
従来、印刷物の原本性を保証するための手法としては、例えば、印刷物に複写防止スタンプパターンと称される複写防止模様を書き込むという手法が知られていた。この種の手法は、具体的には、複写防止模様として印刷物の所有者を示すためのロゴマークや文字列などを、複写防止対象である各種証明書や各種契約書あるいは各種機密文書などの画像の印刷時に当該画像中に薄く書き込んで印刷を行って、複写防止対象である画像中に複写防止模様が薄く書き込まれた印刷物を得るようにするというものである。
【０００４】
しかしながら、上記した従来の画像中に複写防止模様を薄く書き込むという手法により得られた印刷物においては、当該印刷物を複写機で複写した際に、当該印刷物に書き込んだ複写防止模様がほぼそのまま状態で複写されてしまうため、原本となる印刷物と複写物とを識別することが容易でないという問題点があった。
【０００５】
なお、本願出願人が特許出願のときに知っている先行技術は、文献公知発明に係る発明ではないため、記載すべき先行技術文献情報はない。
【発明の開示】
【発明が解決しようとする課題】
【０００６】
本発明は、上記したような従来の技術の有する問題点に鑑みてなされたものであり、その目的とするところは、各種証明書や各種契約書あるいは各種機密文書などの原本性の確認を効率よく行うことを可能にしたり、また、より確実な改竄防止を図ることを可能にした複写防止模様生成方法、複写防止模様生成装置、画像処理方法、画像処理装置、プログラムおよびコンピューター読み取り可能な記録媒体を提供しようとするものである。
【課題を解決するための手段】
【０００７】
上記目的を達成するために、本発明による複写防止模様生成方法、複写防止模様生成装置、画像処理方法、画像処理装置、プログラムおよびコンピューター読み取り可能な記録媒体は、以下の原理に基づいてなされたものである。
【０００８】
即ち、現行のプリンターが画像データに基づき紙片や樹脂シートなどの各種の媒体に画像を印刷して印刷物として出力できる最高解像度（なお、現行のプリンターで印刷物として出力できる最高解像度は、例えば、１２００ｄｐｉ程度である。）と現行の複写機が印刷物を複写する際に当該印刷物から解読できる最高解像度（現行の複写機が印刷物から解読できる最高解像度は、例えば、６００ｄｐｉ程度である。）とは、両者の間にかなりの差がある。具体的には、現行のプリンターの最高解像度は、現行の複写機の最高解像度と比べれるとより高くなっている。
【０００９】
本発明は、原本となる印刷物を生成するプリンターなどの画像処理装置の最高解像度と当該原本となる印刷物を複写する複写機の最高解像度との差分を利用して、画像処理装置の最高解像度以下であり、かつ、複写機では解読できない再現不能な解像度たる複写機の最高解像度より高い解像度で複写防止模様を生成するようにしたものであり、こうして生成した複写防止模様を複写防止対象の画像と重ね合わせて印刷すればよい。
【００１０】
従って、本発明によれば、複写防止模様を複写防止対象の画像と重ね合わせて印刷した原本となる印刷物を複写機により複写した場合には、複写機では複写防止模様を解読することができないため、複写機により複写された複写物においては当該印刷物に書き込んでいた複写防止模様が複写されずに消えてしまって視認することができなくなるので、原本となる印刷物と複写物とを容易に識別することができ、また、原本となる印刷物の改竄も防止することができる。
【００１１】
また、本発明は、生成した複写防止模様を複写防止対象の画像と重ね合わせて印刷する際に、印刷濃度を調整して複写防止模様を生成して、その複写防止模様を複写防止対象の画像と重ね合わせるようにしたものである。
【００１２】
従って、本発明によれば、生成した複写防止模様を複写防止対象の画像と重ね合わせて印刷した原本となる印刷物を複写機により複写した場合には、複写防止対象の画像と重ね合わされる複写防止模様の印刷濃度に応じて、複写物においては当該印刷物に書き込んでいた複写防止模様が複写されずに消えてしまって視認することができなくなるので、原本となる印刷物と複写物とを容易に識別することができ、また、原本となる印刷物の改竄も防止することができる。
【００１３】
即ち、上記目的を達成するために、本発明のうち請求項１に記載の発明は、少なくとも１以上のピクセルにより構成されるとともに該ピクセルの全部または一部が着色領域とされたドットポイントを所定の空間距離を開けて複数配置した複写防止模様作成用パターンにより複写防止模様を構成し、上記ドットポイントの着色領域は、所定の解像度以下の解像度では検知不能であるようにしたものである。
【００１４】
また、本発明のうち請求項２に記載の発明は、少なくとも１以上のピクセルにより構成されるとともに該ピクセルの全部または一部が所定の解像度以下の解像度では検知不能である着色領域とされたドットポイントを所定の空間距離を開けて複数配置した複写防止模様作成用パターンを生成する複写防止模様作成用パターン生成手段と、上記複写防止模様作成用パターン生成手段により生成された複写防止模様作成用パターンを用いて複写防止模様を生成する複写防止模様生成手段とを有するようにしたものである。
【００１５】
また、本発明のうち請求項３に記載の発明は、少なくとも１以上のピクセルにより構成されるとともに該ピクセルの全部または一部が所定の解像度以下の解像度では検知不能である着色領域とされたドットポイントを所定の空間距離を開けて複数配置した複写防止模様作成用パターンにより複写防止模様を構成し、上記複写防止模様を所定の印刷濃度に制御して原稿画像と重ね合わせて印刷するようにしたものである。
【００１６】
また、本発明のうち請求項４に記載の発明は、原稿画像を入力する入力手段と、少なくとも１以上のピクセルにより構成されるとともに該ピクセルの全部または一部が所定の解像度以下の解像度では検知不能である着色領域とされたドットポイントを所定の空間距離を開けて複数配置した複写防止模様作成用パターンを生成する複写防止模様作成用パターン生成手段と、上記複写防止模様作成用パターン生成手段により生成された複写防止模様作成用パターンを用いて印刷濃度を制御された複写防止模様を生成する複写防止模様生成手段と、上記入力手段により入力された原稿画像と上記複写防止模様生成手段により生成された複写防止模様とを重ね合わせて印刷する合成出力手段とを有するようにしたものである。
【００１７】
また、本発明のうち請求項５に記載の発明は、本発明のうち請求項１に記載の発明をコンピューターに実行させるためのプログラムである。
【００１８】
また、本発明のうち請求項６に記載の発明は、本発明のうち請求項２に記載の発明としてコンピューターを機能させるためのプログラムである。
【００１９】
また、本発明のうち請求項７に記載の発明は、本発明のうち請求項３に記載の発明をコンピューターに実行させるためのプログラムである。
【００２０】
また、本発明のうち請求項８に記載の発明は、本発明のうち請求項４に記載の発明としてコンピューターを機能させるためのプログラムである。
【００２１】
また、本発明のうち請求項９に記載の発明は、本発明のうち請求項５、請求項６、請求項７または請求項８のいずれか１項に記載の発明を記録したコンピューター読み取り可能な記録媒体である。
【発明の効果】
【００２２】
本発明は、各種証明書や各種契約書あるいは各種機密文書などの原本性の確認を効率よく行うことが可能な複写防止模様生成方法、複写防止模様生成装置、画像処理方法、画像処理装置、プログラムおよびコンピューター読み取り可能な記録媒体を提供することができるという優れた効果を奏する。
【００２３】
また、本発明は、各種証明書や各種契約書あるいは各種機密文書などの改竄防止をより確実に図ることが可能な複写防止模様生成方法、複写防止模様生成装置、画像処理方法、画像処理装置、プログラムおよびコンピューター読み取り可能な記録媒体を提供することができるという優れた効果を奏する。
【発明を実施するための最良の形態】
【００２４】
以下、添付の図面を参照しながら、本発明による複写防止模様生成方法、複写防止模様生成装置、画像処理方法、画像処理装置、プログラムおよびコンピューター読み取り可能な記録媒体の実施の形態の一例を詳細に説明する。
【００２５】
なお、本発明による複写防止模様生成方法、複写防止模様生成装置、画像処理方法、画像処理装置、プログラムおよびコンピューター読み取り可能な記録媒体は、例えば、紙片や樹脂シートなどの各種の媒体に印刷して出力するプリンターやファクシミリ装置などのような各種の出力装置に適用できるものであるが、以下の説明においては、本発明をプリンターに適用した場合について説明する。
【００２６】
即ち、図１には、本発明の実施の形態の一例による複写防止模様生成装置を備えた画像処理装置としてのプリンターを示す概略ブロック構成図が表されている。なお、本発明の実施と関連しない構成部分については、図示ならびにその説明を省略している。
【００２７】
このプリンター１０は、図示しないパーソナルコンピューターなどから複写防止対象の画像たる原稿画像を表す原稿画像データを入力する原稿画像データ入力部１２と、複写防止模様を表す複写防止模様データを生成する複写防止模様データ生成部１４と、原稿画像データ入力部１２から入力された原稿画像データと複写防止模様データ生成部１４において生成された複写防止模様データとを合成して複写防止模様を原稿画像に重ね合わせて媒体に印刷して原本となる印刷物を出力する合成出力部１６とを有して構成されている。
【００２８】
なお、プリンター１０はマイクロコンピューターを内蔵しており、上記した原稿画像データ入力部１２、複写防止模様データ生成部１４ならびに合成出力部１６の動作はマイクロコンピューターのソフトウェアプログラムの制御により実現されるものである。
【００２９】
以上の構成において、このプリンター１０において、原稿画像データ入力部１２は、パーソナルコンピューターなどから出力された原稿画像データを入力して合成出力部１６へ出力する。一方、複写防止模様データ生成部１４は、後述する処理により複写防止模様データを生成して合成出力部１６へ出力する。そして、合成出力部１６は、この出力された原稿画像データと複写防止模様データとを合成し、この合成により得られた画像データに基づく画像、即ち、複写防止模様を原稿画像に重ね合わせた画像を紙片や樹脂シートなどの媒体に印刷する処理を行う。
【００３０】
換言すると、プリンター１０においては、まず、原稿画像データが原稿画像データ入力部１２によりプリンター１０内に読み込まれる。次に、複写防止模様データ生成部１４により、複写防止模様データを生成する。最後に、合成出力部１６により、生成した複写防止模様データを原稿画像データに埋め込んで、複写防止模様を原稿画像に重ね合わせた画像を紙片や樹脂シートなどの媒体に印刷して出力する。
【００３１】
このようにして媒体に印刷された印刷物を複写機により複写した場合には、当該複写により得られた複写物においては、原稿画像に埋め込まれていた複写防止模様が複写されずに消えてしまって視認することができないので、印刷物の原本性を容易に保証することができる。
【００３２】
なお、パーソナルコンピューターなどから原稿画像データを入力する原稿画像データ入力部１２や、原稿画像データと複写防止模様データとを合成して得られた画像データに基づく画像（複写防止模様を原稿画像に重ね合わせた画像）を紙片や樹脂シートなどの媒体に印刷する処理を行う合成出力部１６は、従来より公知の技術を適用することができるので、その詳細な構成ならびに作用の説明は省略する。
【００３３】
次に、複写防止模様データ生成部１４により実行される処理について、図面を参照しながら詳細に説明する。
【００３４】
（１）複写防止模様の作成の原理
まず、複写防止模様データ生成部１４により生成される複写防止模様データにより表される複写防止模様の作成の原理について説明すると、複写防止模様は以下の原理により作成されるものである。
【００３５】
即ち、複写防止模様は、複写機の解像度で検知できないドットポイント（なお、「ドットポイント」の詳細については後述する。）をある空間距離を開けて配置することにより作成される。こうして作成された複写防止模様の印刷濃度を調整して原稿画像に重ね合わせることで、原本となる印刷物が得られるものである。
【００３６】
より詳細には、複写防止模様は、例えば、図２に示されるように、ドットポイントを所定の空間距離を開けて配置したパターン（以下、「複写防止模様作成用パターン」と適宜に称する。）を所望の形状に配置することにより作成される。
【００３７】
この図２に示す複写防止模様作成用パターンの例においては、１単位のドットポイントを黒色のブロックで表しており、各ドットポイントは縦方向および横方向においてドットポイント３単位分の空間距離を開けて配置されている。
【００３８】
ここで、ドットポイントについて説明すると、ドットポイントとは、例えば、図３（１）〜（１６）に示すように、「１×１」または「２×２」のピクセルで構成される。即ち、図３（１）に示す例は「１×１」ピクセルにより構成されるドットポイントの構造であり、図３（２）〜（１６）に示す例は「２×２」ピクセルにより構成されるドットポイントの構造である。
【００３９】
図３（１）〜（１６）より明らかなように、図３（１）に示す「１×１」ピクセルにより構成されるドットポイントは１ピクセルにより構成され、図３（２）〜（１６）に示す「２×２」ピクセルにより構成されるドットポイントは縦方向に２ピクセル並ぶとともに横方向に２ピクセル並んだ４ピクセルにより構成されている。そして、これら図３（１）〜（１６）に示すドットポイントの例においては、黒色で表示された各ピクセルが、複写防止模様の作成の際において着色される領域、即ち、着色領域となる。
【００４０】
次に、図４には、複写防止模様作成用パターンの一例として、図３（１）に示す「１×１」ピクセルのドットポイントを基本構造として、縦方向と横方向とにおけるドットポイントとドットポイントとの間の空間距離を１ピクセル（ドットポイント１単位分）として構成した複写防止模様作成用パターンが示されている。
【００４１】
また、図５には、複写防止模様作成用パターンの一例として、図３（２）に示す「２×２」ピクセルのドットポイントを基本構造として、縦方向と横方向とにおけるドットポイントとドットポイントとの間の空間距離を２ピクセル（ドットポイント１単位分）として構成した複写防止模様作成用パターンが示されている。
【００４２】
さらに、図６には、複写防止模様作成用パターンの一例として、図３（２）、（３）、（４）、（５）、（７）、（８）、（１２）および（１６）に示す「２×２」ピクセルのドットポイントを用いて、縦方向と横方向とにおけるドットポイントとドットポイントとの間の空間距離を２ピクセル（ドットポイント１単位分）として構成した複写防止模様作成用パターンが示されている。
【００４３】
即ち、複写防止模様作成用パターンを作成する際には、図３（２）〜（１６）に示すドットポイントの中から複数種類のドットポイントを適宜に組み合わせて用いることができる。
【００４４】
（２）ドットポイントの構成
図３（２）〜（１６）に示すドットポイントに関して、上記した「課題を解決するための手段」において説明した原理により、着色領域がより少ないピクセル数で構成されたドットポイントの形状を用いて構成された複写防止模様作成用パターンにより作成された複写防止模様については、複写機の解像度では解読することが困難となり、複写機により複写しても再現することが難くなる。しかしながら、複写防止模様作成用パターンを構成するドットポイントにおける着色領域のピクセル数が少なすぎると、プリンターの解像度で印刷可能ではあっても、媒体に印刷された時点において、当該印刷された媒体、即ち、印刷物から複写防止模様を視認することができなくなってしまう。
【００４５】
従って、印刷時には目視により印刷物から複写防止模様を十分に視認可能であり、当該印刷物を複写機により複写した複写物からは複写防止模様が消えるようにするため、複写防止模様作成用パターンを構成するドットポイントにおける着色領域のピクセル数を適宜に調整すればよい。
【００４６】
（２−１）複写防止模様作成用パターンを構成するドットポイントにおける着色領域のピクセル数が適当な場合
図７には、複写防止模様作成用パターンとして、ドットポイントを構成する４ピクセルの中の３ピクセルが着色領域となる図３（８）に示す「２×２」ピクセルのドットポイントを基本構造として、縦方向と横方向とにおけるドットポイントとドットポイントとの間の空間距離を２ピクセル（ドットポイント１単位分）として構成した複写防止模様作成用パターンが示されている。
【００４７】
この図７に示す複写防止模様作成用パターンを用いて複写防止模様を作成する場合に、ドットポイントの着色領域の着色濃度を、例えば、１９０（なお、着色濃度は、２５６段階で設定することができるものとする。）とした場合には、図８（ａ）に示すように印刷物上においては複写防止模様が目視により視認することができるが、図８（ｂ）に示すように印刷物を複写機により複写した複写物上では複写防止模様が消えてしまい、複写防止模様を目視により視認することはできない。
【００４８】
（２−２）複写防止模様作成用パターンを構成するドットポイントにおける着色領域のピクセル数が多すぎる場合
図９には、複写防止模様作成用パターンとして、ドットポイントを構成する４ピクセル全てが着色領域となる図３（２）に示す「２×２」ピクセルのドットポイントを基本構造として、縦方向と横方向とにおけるドットポイントとドットポイントとの間の空間距離を２ピクセル（ドットポイント１単位分）として構成した複写防止模様作成用パターンが示されている。
【００４９】
この図９に示す複写防止模様作成用パターンを用いて複写防止模様を作成する場合には、図９に示す複写防止模様作成用パターンが図７に示す複写防止模様作成用パターンよりも着色領域が広くなるため、ドットポイントの着色領域の着色濃度を図８に示す例と同様に１９０とすると、図１０（ａ）に示すように印刷物上において複写防止模様を目視により視認することができることは勿論であるが、また、図１０（ｂ）に示すように印刷物を複写機により複写した複写物上でも複写防止模様が消え難くなり、複写防止模様を目視により視認することができるようになる。
【００５０】
（２−３）複写防止模様作成用パターンを構成するドットポイントにおける着色領域のピクセル数が少なすぎる場合
図１１には、複写防止模様作成用パターンとして、ドットポイントを構成する４ピクセルの中の１ピクセルのみが着色領域となる図３（１６）に示す「２×２」ピクセルのドットポイントを基本構造として、縦方向と横方向とにおけるドットポイントとドットポイントとの間の空間距離を２ピクセル（ドットポイント１単位分）として構成した複写防止模様作成用パターンが示されている。
【００５１】
この図１１に示す複写防止模様作成用パターンを用いて複写防止模様を作成する場合には、図１１に示す複写防止模様作成用パターンが図７に示す複写防止模様作成用パターンよりも着色領域が狭くなるため、ドットポイントの着色領域の着色濃度を図８に示す例と同様に１９０とすると、図１２（ａ）に示すように印刷物上においても複写防止模様が薄くなってしまい目視により視認することが困難になるとともに、図１２（ｂ）に示すように印刷物を複写機により複写した複写物上では複写防止模様が消えてしまい、複写防止模様を目視により視認することはできない。
【００５２】
（３）複写防止模様パターンの印刷濃度の調整
次に、複写防止模様パターンの印刷濃度の調整について説明するが、本明細書において「印刷濃度」とは、プリンターにより媒体に対して印刷が行われて完成した印刷物を目視した際に、視覚により感知される濃度を意味するものとする。
【００５３】
上記した「課題を解決するための手段」において説明したように、複写防止模様作成用パターンにより複写防止模様を作成したならば、複写防止模様作成用パターン全体、即ち、複写防止模様としての印刷濃度たる複写防止模様作成用パターンの印刷濃度を調整して、複写防止模様を原稿画像に重ね合わせて薄く印刷することになる。
【００５４】
即ち、複写防止模様作成用パターンの印刷濃度が濃すぎると、複写機により印刷物を複写して得られた複写物上に、複写防止模様が目視により視認可能に残ってしまう恐れがある。
【００５５】
一方、複写防止模様作成用パターンの印刷濃度が薄すぎると、印刷された印刷物上においても複写防止模様を目視により視認することが困難になる恐れがある。
【００５６】
従って、印刷物上に複写防止模様が目視により容易に視認可能に印刷されるとともに、複写機により当該印刷物を複写して得られた複写物上では複写防止模様が目視により視認できないように消えるようにするため、複写防止模様作成用パターンの印刷濃度を適当に調整して印刷することが好ましい。
【００５７】
ここで、複写防止模様作成用パターンの印刷濃度を調整する手法としては、例えば、以下に示す２つの手法がある。
【００５８】
（３−１）第１の手法（濃度調整法）
複写防止模様作成用パターンの印刷濃度を調整する第１の手法は、複写防止模様作成用パターンのドットポイント配列の空間距離を固定することを前提として、各ドットポイントの着色領域の着色濃度を調整することにより複写防止模様作成用パターンの印刷濃度を調整するという手法である。本明細書においては、この第１の手法を「濃度調整法」と適宜に称することとする。
【００５９】
（３−１−１）ドットポイントの着色領域の着色濃度が適当な場合
図１３（ａ）（ｂ）には、図７に示す複写防止模様作成用パターン（ドットポイントを構成する４ピクセルの中の３ピクセルが着色領域となる図３（８）に示す「２×２」ピクセルのドットポイントを基本構造として、縦方向と横方向とにおけるドットポイントとドットポイントとの間の空間距離を２ピクセル（ドットポイント１単位分）として構成した複写防止模様作成用パターンである。）を用いて複写防止模様を作成し、ドットポイントの着色領域の着色濃度を１９０（なお、着色濃度は、２５６段階で設定することができるものとする。）とした場合の例が示されている。
【００６０】
この例から明らかなように、ドットポイントの着色領域の着色濃度を１９０とすると、印刷物上においては複写防止模様が目視により視認することができるが（図１３（ａ）参照）、印刷物を複写機により複写した複写物上では複写防止模様がきれいに消えてしまい、複写防止模様を目視により視認することはできない（図１３（ｂ）参照）。
【００６１】
（３−１−２）ドットポイントの着色領域の着色濃度が濃すぎる場合
図１４（ａ）（ｂ）には、図７に示す複写防止模様作成用パターン（ドットポイントを構成する４ピクセルの中の３ピクセルが着色領域となる図３（８）に示す「２×２」ピクセルのドットポイントを基本構造として、縦方向と横方向とにおけるドットポイントとドットポイントとの間の空間距離を２ピクセル（ドットポイント１単位分）として構成した複写防止模様作成用パターンである。）を用いて複写防止模様を作成し、ドットポイントの着色領域の着色濃度を１８０（なお、着色濃度は、２５６段階で設定することができるものとする。）とした場合の例が示されている。
【００６２】
この例から明らかなように、ドットポイントの着色領域の着色濃度を１８０とすると、印刷物上において複写防止模様を目視により視認することができることは勿論であるが（図１４（ａ）参照）、印刷した複写防止模様の印刷濃度が濃すぎになり、印刷物を複写機により複写した複写物上でも複写防止模様が消え難くなって、複写防止模様を目視により視認することができるようになる（図１４（ｂ）参照）。
【００６３】
（３−１−３）ドットポイントの着色領域の着色濃度が薄すぎる場合
図１５（ａ）（ｂ）には、図７に示す複写防止模様作成用パターン（ドットポイントを構成する４ピクセルの中の３ピクセルが着色領域となる図３（８）に示す「２×２」ピクセルのドットポイントを基本構造として、縦方向と横方向とにおけるドットポイントとドットポイントとの間の空間距離を２ピクセル（ドットポイント１単位分）として構成した複写防止模様作成用パターンである。）を用いて複写防止模様を作成し、ドットポイントの着色領域の着色濃度を２１０（なお、着色濃度は、２５６段階で設定することができるものとする。）とした場合の例が示されている。
【００６４】
この例から明らかなように、ドットポイントの着色領域の着色濃度を２１０とすると、印刷物上においても複写防止模様の印刷濃度が薄すぎになり目視により視認することが困難になるとともに（図１２（ａ）参照）、印刷物を複写機により複写した複写物上では複写防止模様が消え易くなり、複写防止模様を目視により視認することはできない（図１２（ｂ）参照）。
【００６５】
（３−２）第２の手法（空間密度調整法）
複写防止模様作成用パターンの印刷濃度を調整する第２の手法は、基本的にドットポイントにおける着色領域の着色濃度は固定にして、作成した複写防止模様作成用パターンにおける各ドットポイント間の縦方向ならびに横方向の空間距離を制御することで、複写防止模様作成用パターンとして配置されるドットポイントの空間密度を調整することにより複写防止模様の印刷濃度を調整するという手法である。本明細書においては、この第２の手法を「空間密度調整法」と適宜に称することとする。
【００６６】
即ち、この第２の手法は、同じドットポイントで構成された複写防止模様作成用パターンを印刷する場合に、ドットポイントの間の距離が狭くなれば、印刷した複写防止模様作成用パターンの印刷濃度は濃くなり、一方、ドットポイントの間の距離が広くなれば、印刷した複写防止模様作成用パターンの印刷濃度は薄くなるという原理に基づくものである。
【００６７】
なお、複写防止模様が白黒２値データより構成される場合には、上記した第１の手法を用いて複写防止模様の印刷濃度の調整を行うことはできないが、この第２の手法を用いれば複写防止模様の印刷濃度の調整を行うことができる。
【００６８】
（３−２−１）ドットポイントの空間密度が適当な場合
図１６は、ドットポイントを構成する４ピクセルの中の３ピクセルが着色領域となる図３（８）に示す「２×２」ピクセルのドットポイントを用いるとともに、その着色領域の着色濃度を１９０（なお、着色濃度は、２５６段階で設定することができるものとする。）に固定して、縦方向と横方向とにおけるドットポイントとドットポイントとの間の空間距離を２ピクセル（ドットポイント１単位分）として構成した複写防止模様作成用パターンを示している。この複写防止模様作成用パターンにおいては、１４４ピクセル中の５４ピクセルが着色領域となっており、複写防止模様作成用パターンの３７．５％のピクセルが着色領域となる。
【００６９】
この複写防止模様作成用パターンを用いて生成された複写防止模様は、印刷物上においては複写防止模様が目視により視認することができるが（図１７（ａ）参照）、印刷物を複写機により複写した複写物上では複写防止模様がきれいに消えてしまい、複写防止模様を目視により視認することはできない（図１７（ｂ）参照）。
【００７０】
（３−２−２）ドットポイントの空間密度が疎の場合
図１８は、ドットポイントを構成する４ピクセルの中の３ピクセルが着色領域となる図３（８）に示す「２×２」ピクセルのドットポイントを用いるとともに、その着色領域の着色濃度を１９０（なお、着色濃度は、２５６段階で設定することができるものとする。）に固定して、縦方向と横方向とにおけるドットポイントとドットポイントとの間の空間距離を４ピクセル（ドットポイント２単位分）または３ピクセル（ドットポイント１．５単位分）として構成した複写防止模様作成用パターンを示している。この複写防止模様作成用パターンにおいては、３２４ピクセル中の５４ピクセルが着色領域となっており、複写防止模様作成用パターンの１６．７％のピクセルが着色領域となる。
【００７１】
この複写防止模様作成用パターンを用いて生成された複写防止模様は、印刷物上においても複写防止模様の印刷濃度が薄すぎになり目視により視認することが困難になるとともに（図１９（ａ）参照）、印刷物を複写機により複写した複写物上では複写防止模様が消え易くなり、複写防止模様を目視により視認することはできない（図１９（ｂ）参照）。
【００７２】
（３−２−３）ドットポイントの空間密度が密の場合
図２０は、ドットポイントを構成する４ピクセルの中の３ピクセルが着色領域となる図３（８）に示す「２×２」ピクセルのドットポイントを用いるとともに、その着色領域の着色濃度を１９０（なお、着色濃度は、２５６段階で設定することができるものとする。）に固定して、縦方向と横方向とにおけるドットポイントとドットポイントとの間の空間距離を１ピクセル以下として構成した複写防止模様作成用パターンを示している。この複写防止模様作成用パターンにおいては、７２ピクセル中の３６ピクセルが着色領域となっており、複写防止模様作成用パターンの５０．０％のピクセルが着色領域となる。
【００７３】
この複写防止模様作成用パターンを用いて生成された複写防止模様は、印刷物上において複写防止模様を目視により視認することができることは勿論であるが（図２１（ａ）参照）、印刷した複写防止模様の印刷濃度が濃すぎになり、印刷物を複写機により複写した複写物上でも複写防止模様が消え難くなって、複写防止模様を目視により視認することができるようになる（図２１（ｂ）参照）。
【００７４】
（４）印刷防止模様の視覚効果の強調
上記において説明した印刷防止模様の視覚効果を強調するため、上記した「課題を解決するための手段」において説明した現行のプリンターと現行の複写機との解像度の差を利用して、印刷防止模様を構成する印刷防止模様作成用パターンとして、現行の複写機で再現できる解像度の印刷防止模様作成用パターンと現行の複写機で再現できない解像度の印刷防止模様作成用パターンとを混合したものを生成し、複写機により複写した複写物上において部分的に消えずに視認することができる印刷防止模様を作成することもできる。
【００７５】
（４−１）複写機により複写した複写物上において消えずに視認できる印刷防止模様作成用パターンの生成
複写機により複写した複写物上において消えずに視認できる印刷防止模様作成用パターンの生成するには、上記において説明した複写機により複写した複写物上において消えて視認できない印刷防止模様作成用パターンの生成と逆の処理を行えばよい。
【００７６】
（４−１−１）ドットポイントの構成
上記（２）、（２−１）、（２−２）、（２−３）において説明した原理により、現行の複写機により複写した複写物上において消えずに視認できる印刷防止模様作成用パターンを生成するには、印刷防止模様作成用パターンを構成するドットポイントをより大きくすればよい。しかしながら、ドットポイントの形状が極端に大きいと、プリンターにより媒体に印刷して得た印刷物を視認した時点で目立ちすぎになり、ドットポイントの形状は適度な大きさに調節することが好ましい。
【００７７】
（４−１−２）濃度調整法
上記（３−１）、（３−１−１）、（３−１−２）、（３−１−３）において説明した原理により、現行の複写機により複写した複写物上において消えずに視認できる印刷防止模様作成用パターンを生成するには、ドットポイントにおける着色領域の着色濃度をより濃くすればよい。しかしながら、ドットポイント着色領域の着色濃度が極端に濃いと、プリンターにより媒体に印刷して得た印刷物を視認した時点で目立ちすぎになり、ドットポイント着色領域の着色濃度は適度な濃さに調節することが好ましい。
【００７８】
（４−１−３）空間密度調整法
上記（３−２）、（３−２−１）、（３−２−２）、（３−２−３）において説明した原理により、現行の複写機により複写した複写物上において消えずに視認できる印刷防止模様作成用パターンを生成するには、複写防止模様作成用パターンとして配置されるドットポイントの空間密度を密にすればよい。しかしながら、複写防止模様作成用パターンとして配置されるドットポイントが極端に密集していると、プリンターにより媒体に印刷して得た印刷物を視認した時点で目立ちすぎになり、複写防止模様作成用パターンとして配置されるドットポイントの密度は適度な密度に調節することが好ましい。
【００７９】
（４−２）複写機により複写した複写物上において消えて視認できない印刷防止模様作成用パターンと複写機により複写した複写物上において消えずに視認できる印刷防止模様作成用パターンとの比較
上記した（４−１−１）、（４−１−２）、（４−１−３）に従って、複写機により複写した複写物上において消えて視認できない印刷防止模様作成用パターンと消えずに視認できる印刷防止模様作成用パターンとの印刷濃度を視覚的に同じ濃さに調整すると、一般に、複写機により複写した複写物上において消えて視認できない印刷防止模様作成用パターンは、粒が細かくドットポイントの間隔が狭い（図２２（ａ）参照）。一方、複写機により複写した複写物上において消えずに視認できる印刷防止模様作成用パターン、粒が粗くドットポイントの間隔が広くなる（図２２（ｂ）参照）。
【００８０】
ここで、印刷防止模様の印刷濃度の調整を適当に行うと、複写機により複写した複写物上においては、消えて視認できない印刷防止模様作成用パターンと消えずに視認できる印刷防止模様作成用パターンとを混ぜても、視覚的には無地のように見せることができる。
【００８１】
即ち、図２３（ａ）には、印刷防止模様の印刷濃度の調整が適当な場合の例が示されており、複写機により複写した際に消えて視認できない印刷防止模様作成用パターンと消えずに視認できる印刷防止模様作成用パターンとが混在しているが、両パターンの視覚的な印刷濃度の濃さが一致しているため一様の無地に見える。
【００８２】
しかしながら、印刷防止模様の印刷濃度の調整を適当でない場合には、それぞれの消えて視認できない印刷防止模様作成用パターンと消えずに視認できる印刷防止模様作成用パターンとの境界でムラが発生するので、印刷防止模様の印刷濃度の調整を適切に行うことが好ましい。
【００８３】
即ち、図２３（ｂ）には、印刷防止模様の印刷濃度の調整が適当でない場合の例が示されており、複写機により複写した際に消えて視認できない印刷防止模様作成用パターンと消えずに視認できる印刷防止模様作成用パターンとが混在しているが、両パターンの視覚的な印刷濃度の濃さが一致していないため、両パターンの境界でムラが発生している。
【００８４】
また、図２３（ｃ）には、複写機により複写した際に消えて視認できない印刷防止模様作成用パターンと消えずに視認できる印刷防止模様作成用パターンとが混在した際に、印刷防止模様の印刷濃度の調整は適当であって両パターンの視覚的な濃さは一致しているが、ドットポイントの形状と密度とが大きく乖離しているため、両パターンの存在が目立ってしまっている。
【００８５】
（４−３）複写機により複写した複写物上において消えて視認できない印刷防止模様作成用パターンと複写機により複写した複写物上において消えずに視認できる印刷防止模様作成用パターンとにより構成された複写防止模様の生成
上記したように、複写機により複写した複写物上において消えて視認できない印刷防止模様作成用パターンと複写機により複写した複写物上において消えずに視認できる印刷防止模様作成用パターンとを混ぜて複写防止模様を生成しても、両パターンのドットポイントの形状と密度とを大きく解離せず、また、両パターンの視覚的な印刷濃度の濃さを一致させると、プリンターにより媒体に印刷された印刷物上においては、複写防止模様は視覚的には一様の無地の模様として視認される（図２４（ａ）参照）。
【００８６】
この際に、複写防止模様中に複写物上において消えて視認できない印刷防止模様作成用パターンを「消し線」として平行線のように混ぜると、複写機により印刷物を複写した複写物上においては、複写物上において消えて視認できない印刷防止模様作成用パターンにより構成された「消し線」部分は不可視となる（図２４（ｂ）参照）。
【００８７】
（５）複写防止模様の例
ここで、図２５〜図２７には本発明により生成された複写防止模様の各種の例が示されており、まず、図２５は、複写防止模様を会社のロゴマークに用いた例である。図２６に示すように、この複写防止模様と画像とを重ね合わせて印刷することにより（図２６（ａ）参照）、複写機により印刷物を複写した際に複写物から複写防止模様のみが消えるようにすることができる。
【００８８】
即ち、図２６（ａ）に示す「印刷イメージ」を複写機により複写すると、複写防止模様と画像との重ね合わせのイメージが複写対象となるが、複写防止模様を構成する複写防止模様作成用パターンが複写機の解像度では検知できないため、画像のイメージのみが複写され、図２６（ｂ）に示す「複写後イメージ」が複写物としてアウトプットされることになる。
【００８９】
従って、印刷物とその複写物では視覚上のイメージが大きく変化するため、容易に複写物であるか否かを識別することができ、また、印刷物の改竄も防止することができる。
【００９０】
なお、複写防止模様は、ロゴマークのみではなく、会社名や住所などの文字列により構成するようにしてもよいし、また、図形により構成するようにしてもよいし、さらには、ロゴマーク、文字列ならびに図形を適宜に組み合わせるなどのように、任意の模様として構成するようにしてよい。
【００９１】
さらに、図２７に示すように、図２７（ａ）の「通常の文書イメージ」に示すような通常の文書として印刷される画像を、図２７（ｂ）の「印刷イメージ」に示すように本発明による複写防止模様作成用パターンにより構成し、それを印刷して印刷物を作成すると、複写機により印刷物を複写した際に複写物から複写防止模様たる画像が消えるようになるので、情報漏洩防止の効果を得ることができる。
【産業上の利用可能性】
【００９２】
本発明は、各種証明書や各種契約書あるいは機密文書などの画像をプリンターで印刷したり、ファクシミリ装置で出力したりする際に利用することができる。
【図面の簡単な説明】
【００９３】
【図１】本発明の実施の形態の一例による複写防止模様生成装置を備えた画像処理装置としてのプリンターを示す概略ブロック構成図である。
【図２】複写防止模様作成用パターンの構成を示す説明図である。
【図３】（１）〜（１６）はそれぞれドットポイントを示す説明図である。
【図４】複写防止模様作成用パターンの一例を示す説明図である。
【図５】複写防止模様作成用パターンの一例を示す説明図である。
【図６】複写防止模様作成用パターンの一例を示す説明図である。
【図７】複写防止模様作成用パターンの一例を示す説明図である。
【図８】図７に示す複写防止模様作成用パターンを用いて複写防止模様を作成する場合に、ドットポイントの着色領域の着色濃度を、例えば、１９０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図９】複写防止模様作成用パターンの一例を示す説明図である。
【図１０】図９に示す複写防止模様作成用パターンを用いて複写防止模様を作成する場合に、ドットポイントの着色領域の着色濃度を、例えば、１９０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図１１】複写防止模様作成用パターンの一例を示す説明図である。
【図１２】図１１に示す複写防止模様作成用パターンを用いて複写防止模様を作成する場合に、ドットポイントの着色領域の着色濃度を、例えば、１９０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図１３】図７に示す複写防止模様作成用パターンを用いて複写防止模様を作成し、ドットポイントの着色領域の着色濃度を１９０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図１４】図７に示す複写防止模様作成用パターンを用いて複写防止模様を作成し、ドットポイントの着色領域の着色濃度を１８０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図１５】図７に示す複写防止模様作成用パターンを用いて複写防止模様を作成し、ドットポイントの着色領域の着色濃度を２１０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図１６】複写防止模様作成用パターンの一例を示す説明図である。
【図１７】図１６に示す複写防止模様作成用パターンを用いて複写防止模様を作成し、ドットポイントの着色領域の着色濃度を１９０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図１８】複写防止模様作成用パターンの一例を示す説明図である。
【図１９】図１８に示す複写防止模様作成用パターンを用いて複写防止模様を作成し、ドットポイントの着色領域の着色濃度を１９０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図２０】複写防止模様作成用パターンの一例を示す説明図である。
【図２１】図２０に示す複写防止模様作成用パターンを用いて複写防止模様を作成し、ドットポイントの着色領域の着色濃度を１９０（なお、着色濃度は、２５６段階で設定することができるものとする。）とした場合におけるイメージであり、（ａ）は印刷物を示す印刷イメージであり、（ｂ）は（ａ）に示す印刷物を複写機により複写した際における複写物を示す複写後イメージである。
【図２２】複写機により複写した複写物上において消えて視認できない印刷防止模様作成用パターンと複写機により複写した複写物上において消えずに視認できる印刷防止模様作成用パターンとの比較を示す説明図であり、（ａ）は消える場合を示し、（ｂ）は消えない場合を示している。
【図２３】複写機により複写した複写物上において消えて視認できない印刷防止模様作成用パターンと複写機により複写した複写物上において消えずに視認できる印刷防止模様作成用パターンとを混ぜた場合の印刷物のイメージが示されており、（ａ）は印刷防止模様の印刷濃度の調整が適当な場合の例を示し、（ｂ）は印刷防止模様の印刷濃度の調整が適当でない場合の例を示し、（ｃ）は印刷防止模様の印刷濃度の調整は適当であって両パターンの視覚的な濃さは一致しているが、ドットポイントの形状と密度とが大きく乖離しているため、両パターンの存在が目立ってしまっている例を示す。
【図２４】複写機により複写した複写物上において消えて視認できない印刷防止模様作成用パターンと複写機により複写した複写物上において消えずに視認できる印刷防止模様作成用パターンとにより構成された複写防止模様の例を示し、（ａ）は印刷物を示す印刷イメージであり、（ｂ）は（ａ）に示す印刷物を複写機により複写した際における複写物を示す複写後イメージである。
【図２５】複写防止模様の一例を示す説明図である。
【図２６】複写防止模様と画像とを重ね合わせて印刷した場合の例を示し、（ａ）は印刷物を示す印刷イメージであり、（ｂ）は（ａ）に示す印刷物を複写機により複写した際における複写物を示す複写後イメージである。
【図２７】通常の文書として印刷される画像を本発明による複写防止模様作成用パターンにより構成した例を示し、（ａ）は、通常の文書として印刷される画像を示す通常の文書イメージであり、（ａ）は印刷物を示す印刷イメージであり、（ｂ）は（ａ）に示す印刷物を複写機により複写した際における複写物を示す複写後イメージである。
【符号の説明】
【００９４】
１０        プリンター
１２        原稿画像データ入力部
１４        複写防止模様データ生成部
１６        合成出力部
【図１】
2005204190.tif 000003
【図２】
2005204190.tif 000004
【図３】
2005204190.tif 000005
【図４】
2005204190.tif 000006
【図５】
2005204190.tif 000007
【図６】
2005204190.tif 000008
【図７】
2005204190.tif 000009
【図９】
2005204190.tif 000010
【図１１】
2005204190.tif 000011
【図１６】
2005204190.tif 000012
【図１８】
2005204190.tif 000013
【図２０】
2005204190.tif 000014
【図２２】
2005204190.tif 000015
【図８】
2005204190.tif 000016
【図１０】
2005204190.tif 000017
【図１２】
2005204190.tif 000018
【図１３】
2005204190.tif 000019
【図１４】
2005204190.tif 000020
【図１５】
2005204190.tif 000021
【図１７】
2005204190.tif 000022
【図１９】
2005204190.tif 000023
【図２１】
2005204190.tif 000024
【図２３】
2005204190.tif 000025
【図２４】
2005204190.tif 000026
【図２５】
2005204190.tif 000027
【図２６】
2005204190.tif 000028
【図２７】
2005204190.tif 000029